(57)【要約】【課題】コンテンツの不正配信の発見に関わるネットワークを介しての情報管理センタとのアクティブな通信を行う必要をなくする。【解決手段】通信事業者端末１は透かし情報生成処理部１ａにより、コンテンツの配信を中継する各中継装置３〜５に対して、契約したコンテンツ配信者間で授受された特定のビット列からなる検出用データを通知し、例えば中継装置３は、発見処理部３ａにより、当該検出用データを記憶装置に記憶し、インターネット７上で受信したコンテンツ配信者端末６からのコンテンツに当該検出用データが付帯されていれば、このコンテンツの不正配信を検出し、不正配信の検出結果を例えば通信事業者端末１やコンテンツ配信者端末２、コンテンツ受信者端末６等に通知する。【選択図】        図１
2004348224.tif 000002
【特許請求の範囲】
【請求項１】
ネットワーク上で送受信されるディジタルデータの不正配信の監視サービスを提供するシステムであって、
上記ディジタルデータの配信を中継する中継装置に対して、上記ディジタルデータの正規配信者とネットワーク事業者との間で契約に基づき授受された特定のビット列からなる検出用データを通知する手段を設け、
上記中継装置には、通知された上記検出用データを記憶装置に記憶する手段と、受信したディジタルデータに上記記憶装置に記憶した検出用データが付帯されているか否かを判別する判別手段と、該判別手段による上記検出用データの付帯判別結果に基づき当該ディジタルデータの不正配信を検出する検出手段と、該検出手段による不正配信の検出結果を予め定められた相手先装置に通知する通知手段とを設けたことを特徴とするデータ不正配信監視サービスシステム。
【請求項２】
ネットワーク上で送受信されるディジタルデータの不正配信の監視サービスを提供するシステムであって、
上記ディジタルデータを中継する中継装置で送受信される当該ディジタルデータをキャプチャする専用装置に対して、上記ディジタルデータの正規配信者とネットワーク事業者との間で契約に基づき授受された特定のビット列からなる検出用データを通知する手段を設け、
上記専用装置には、通知された上記検出用データを記憶装置に記憶する手段と、キャプチャしたディジタルデータに上記記憶装置に記憶した検出用データが付帯されているか否かを判別する判別手段と、該判別手段による上記検出用データの付帯判別結果に基づき当該ディジタルデータの不正配信を検出する検出手段と、該検出手段による不正配信の検出結果を予め定められた相手先装置に通知する通知手段とを設けたことを特徴とするデータ不正配信監視サービスシステム。
【請求項３】
請求項１もしくは請求項２のいずれかに記載のデータ不正配信監視サービスシステムであって、
上記検出手段は、上記判別手段が上記ディジタルデータに上記検出用データが付帯されていないと判別すれば、当該ディジタルデータの不正配信を検出することを特徴とするデータ不正配信監視サービスシステム。
【請求項４】
請求項１もしくは請求項２のいずれかに記載のデータ不正配信監視サービスシステムであって、
上記検出手段は、上記判別手段が上記ディジタルデータに上記検出用データが付帯されていると判別すれば、当該ディジタルデータの不正配信を検出することを特徴とするデータ不正配信監視サービスシステム。
【請求項５】
請求項１から請求項４のいずれかに記載のデータ不正配信監視サービスシステムであって、
上記ネットワーク事業者側で上記検出用データを生成して上記中継装置に通知することを特徴とするデータ不正配信監視サービスシステム。
【請求項６】
請求項１から請求項４のいずれかに記載のデータ不正配信監視サービスシステムであって、
上記ネットワーク事業者側で上記検出用データを生成して上記中継装置および上記正規配信者に通知し、
該正規配信者側で上記検出用データを配信対象のディジタルデータに付帯することを特徴とするデータ不正配信監視サービスシステム。
【請求項７】
請求項１から請求項４のいずれかに記載のデータ不正配信監視サービスシステムであって、
上記正規配信者側で上記検出用データを生成して上記ネットワーク事業者に通知し、上記正規配信者側で上記検出用データを配信対象のディジタルデータに付帯することを特徴とするデータ不正配信監視サービスシステム。
【請求項８】
請求項１から請求項７のいずれかに記載のデータ不正配信監視サービスシステムであって、
上記検出用データとして、配信対象のディジタルデータに付与する誤り訂正符号を用いることを特徴とするデータ不正配信監視サービスシステム。
【請求項９】
請求項１から請求項７のいずれかに記載のデータ不正配信監視サービスシステムであって、
上記検出用データとして、配信対象のディジタルデータのハッシュ関数計算値を用い、該ハッシュ関数計算値を当該ディジタルデータの特定ビット毎に付帯させることを特徴とするデータ不正配信監視サービスシステム。
【請求項１０】
請求項１から請求項７のいずれかに記載のデータ不正配信監視サービスシステムであって、
上記検出用データを当該ディジタルデータにランダムに配置することを特徴とするデータ不正配信監視サービスシステム。
【請求項１１】
請求項１から請求項９のいずれかに記載のデータ不正配信監視サービスシステムであって、
上記ディジタルデータが時分割転送もしくは区間分割転送する手段を有し、
上記判別手段は、分割単位毎に上記検出用データの付帯を判別することを特徴とするデータ不正配信監視サービスシステム。
【請求項１２】
請求項１から請求項１１のいずれかに記載のデータ不正配信監視サービスシステムであって、
上記検出用データに日付を特定するビット列を含ませて上記ディジタルデータに賞味期限を設定する手段を有し、
上記検出手段は、賞味期限切れのディジタルデータを不正配信対象として検出することを特徴とするデータ不正配信監視サービスシステム。
【請求項１３】
請求項１から請求項１２のいずれかに記載のデータ不正配信監視サービスシステムであって、
上記ディジタルデータの正規配信者からの指示に基づき、上記中継装置による上記検出用データに基づくディジタルデータの不正配信の検出動作を有効もしくは無効とする手段を有することを特徴とするデータ不正配信監視サービスシステム。
【請求項１４】
請求項１から請求項１３のいずれかに記載のデータ不正配信監視サービスシステムであって、
上記通知手段による上記不正配信結果の通知に伴い、当該中継装置による当該ディジタルデータの配信を停止させる手段を有することを特徴とするデータ不正配信監視サービスシステム。
【請求項１５】
請求項１から請求項１４のいずれかに記載のデータ不正配信監視サービスシステムであって、
上記ディジタルデータの配信先端末は、該ディジタルデータから上記検出用データを除去して再生する手段を有することを特徴とするデータ不正配信監視サービスシステム。
【請求項１６】
請求項１から請求項１４のいずれかに記載のデータ不正配信監視サービスシステムであって、
上記ディジタルデータの配信先端末は、該ディジタルデータを上記検出用データを除去することなく再生する手段を有することを特徴とするデータ不正配信監視サービスシステム。
【請求項１７】
請求項１から請求項１６のいずれかに記載のデータ不正配信監視サービスシステムであって、
上記ネットワークはＳＴＭ網、ＡＴＭ網、インターネットのいずれかからなることを特徴とするデータ不正配信監視サービスシステム。
【請求項１８】
請求項１から請求項１７のいずれかに記載のデータ不正配信監視サービスシステムであって、
上記ディジタルデータは、テキストデータ、静止画、動画のいずれかを含むことを特徴とするデータ不正配信監視サービスシステム。
【請求項１９】
コンピュータを、請求項１から請求項１８のいずれかに記載の各手段として機能させるためのプログラム。
【請求項２０】
ネットワーク上で送受信されるディジタルデータの不正配信の監視サービスを提供するシステムのデータ不正配信監視サービス方法であって、
上記ディジタルデータの配信を中継する中継装置、もしくは、該中継装置で送受信される当該ディジタルデータをキャプチャする専用装置に対して、上記ディジタルデータの正規配信者とネットワーク事業者との間で契約に基づき授受された特定のビット列からなる検出用データを通知する手順と、
上記中継装置もしくは上記専用装置において、通知された上記検出用データを記憶装置に記憶する手順と、受信したディジタルデータに上記記憶装置に記憶した検出用データが付帯されているか否かを判別する手順と、該手順による上記検出用データの付帯判別結果に基づき当該ディジタルデータの不正配信を検出する手順と、該手順による不正配信の検出結果を予め定められた相手先装置に通知する手順とを有することを特徴とするデータ不正配信監視サービス方法。
【発明の詳細な説明】
【０００１】
【発明の属する技術分野】
本発明は、ＳＴＭ（Ｓｙｎｃｈｒｏｎｏｕｓ  Ｔｒａｎｓｍｉｓｓｉｏｎ  Ｍｏｄｅ）ネットワークやＡＴＭ（Ａｓｙｎｃｈｒｏｎｏｕｓ  Ｔｒａｎｓｆｅｒ  Ｍｏｄｅ）ネットワークおよびインターネット等のＩＰ（Ｉｎｔｅｒｎｅｔ  Ｐｒｏｔｏｃｏｌ）ネットワークなどにおけるディジタルデータの不正配信を検出する技術に係わり、特に、不正配信の検出を効率的に行うのに好適な技術に関するものである。
【０００２】
【従来の技術】
ネットワーク上でのディジタルデータの不正配信を監視する従来技術としては、例えば、特許文献１に記載のように、デジタルコンテンツの提供に際し、当該取引を識別するための取引識別子を電子透かしとしてデジタルコンテンツに挿入し、また、当該デジタルコンテンツの利用に関するライセンス定義情報を含む取引情報を生成し、これを上述の取引識別子と対応付けて保存して、電子透かし挿入済みのデジタルコンテンツを利用者に提供し、さらに、ネットワーク上のデジタルコンテンツから電子透かしを抽出し、その電子透かし中の取引識別子を用いて、保存していた取引情報を取得し、その取引情報から得られるライセンス定義情報と前記電子透かしを抽出したデジタルコンテンツの内容または存在形態に基づいて当該デジタルコンテンツが不正に利用されていないかを判定する技術がある。
【０００３】
しかし、この技術では、その図１において詳細が示されているように、デジタルコンテンツ提供手段２１とデジタルコンテンツ不正利用監視手段２５とを具備したデジタルコンテンツ提供管理装置２０において、利用者側端末１０からネットワークを介しての要求に応じて、電子透かし挿入済みの当該デジタルコンテンツを利用者に提供すると共に、デジタルコンテンツが不正に利用されていないかを判定する技術であり、その不正利用の監視対象は、デジタルコンテンツ提供管理装置２０自身（自サイト）が提供したデジタルコンテンツに限定されている。
【０００４】
あるいは、その第９図において示されているように、デジタルコンテンツ提供装置６０とデジタルコンテンツ不正利用監視装置７０およびデジタルコンテンツライセンス管理装置８０を個別にネットワーク上に設け、デジタルコンテンツ不正利用監視装置７０は、デジタルコンテンツライセンス管理装置８０にアクセスして、このデジタルコンテンツライセンス管理装置８０が格納する情報を取得し、デジタルコンテンツの不正利用を判定する技術であり、デジタルコンテンツ不正利用監視装置７０とデジタルコンテンツライセンス管理装置８０とのアクティブな通信が必要となっている。
【０００５】
【特許文献１】
特開２０００−２０６００号公報
【０００６】
【発明が解決しようとする課題】
解決しようとする問題点は、従来の技術では、不正利用の監視対象が、デジタルコンテンツ提供者が自身で提供したデジタルコンテンツに限定されてしまう点と、配信されたコンテンツが不正なものであることの発見には、ネットワークを介しての情報管理センタとのアクティブな通信が必要となり、コストと時間を要する点である。
【０００７】
本発明の目的は、これら従来技術の課題を解決し、コンテンツの不正配信の発見を、効率的にかつ低コスト、短時間で可能とすることである。
【０００８】
【課題を解決するための手段】
上記目的を達成するため、本発明は、インターネットなどの通信網（ネットワーク）においてコピーの禁止等されたコンテンツの不正配信を発見するために、通信事業者またはコンテンツ配信事業者が、コンテンツの不正配信の発見を可能とするための検出用データとして、例えば特定の複雑なビット配列を作成し、契約に基づき授受し、コンテンツ配信事業者において、配信するコンテンツに当該検出用データを付加して、当該コンテンツの提供を要求してきたコンテンツ受信者に配信し、また、通信事業者は、中継ルータや専用端末等の通信網の特定の位置のノード（中継装置）において、検出用データを含むコンテンツまたは含まないコンテンツ、あるいは、含んだ検出用データが異なっているコンテンツを検出することで、当該コンテンツを作成したコンテンツ配信事業者以外のコンテンツ配信事業者またはネットワークの一般ユーザが、当該コンテンツを不正配信するのを発見することを特徴とする。
【０００９】
【発明の実施の形態】
以下、本発明の実施の形態を、図面により詳細に説明する。
【００１０】
図１は、本発明に係わるデータ不正配信監視サービスシステムの第１の構成例を示すブロック図である。
【００１１】
図１において、１は通信事業者が用いる通信事業者端末、２はコンテンツ配信者が用いるコンテンツ配信者端末、３〜５はルータ等の中継装置、６は一般ユーザが操作するコンテンツ受信者端末、７はインターネット、８は一般ユーザが操作するユーザ端末である。尚、図中、双方向の矢印の太線は各端末・装置間を接続する物理ラインを示し、片方向の細線は情報の流れを示している。
【００１２】
図１における通信事業者端末１、コンテンツ配信者端末２、中継装置３〜５、コンテンツ受信者端末６、ユーザ端末８のそれぞれは、ＣＰＵ（Ｃｅｎｔｒａｌ  Ｐｒｏｃｅｓｓｉｎｇ  Ｕｎｉｔ）や主メモリ、表示装置、入力装置、外部記憶装置からなるコンピュータ構成からなり、光ディスク駆動装置等を介してＣＤ−ＲＯＭ等の記憶媒体に記録されたプログラムやデータを外部記憶装置内にインストールした後、この外部記憶装置から主メモリに読み込みＣＰＵで処理することにより、各処理部の機能を実行する。
【００１３】
例えば、通信事業者端末１には透かし情報生成処理部１ａが、コンテンツ配信者端末２には埋込み処理部２ａが、中継装置３〜５には発見処理部３ａ〜５ａが、コンテンツ受信者端末６とユーザ端末８のそれぞれにはコンテンツ通信処理部６ａ，８ａが設けられ、各処理部は、記憶装置に記憶されたプログラムに基づき、本発明に係わる処理動作を行う。
【００１４】
このような構成により、本例のデータ不正配信監視サービスシステムは、インターネット７上で送受信されるテキストデータや静止画、動画等のコンテンツ（ディジタルデータ）の不正配信の効率的な監視サービスを提供する。
【００１５】
特に、本図１の例では、ネットワーク事業者側で検出用データを生成して、通信事業者端末１から各中継装置３〜５に通知し、さらに、正式に契約したコンテンツ配信者に通知して、コンテンツの配信者側では、通知された検出用データをコンテンツ配信者端末２により配信対象のコンテンツ（ディジタルデータ）に付帯するものとする。
【００１６】
すなわち、通信事業者端末１は透かし情報生成処理部１ａにより、コンテンツの配信を中継する各中継装置３〜５に対して、コンテンツの正規配信者とネットワーク事業者との間で契約に基づき授受された特定のビット列からなる検出用データを通知し、各中継装置３〜５は、発見処理部３ａ〜５ａにより、通信事業者端末１から通知された検出用データを図示していない記憶装置に記憶し、インターネット７上で受信した例えばコンテンツ配信者端末６からユーザ端末８宛のコンテンツに当該検出用データが付帯されているか否かを判別し、この判別結果に基づき当該コンテンツの不正配信を検出し、不正配信の検出結果を予め定められた相手先装置としての通信事業者端末１やコンテンツ配信者端末２、コンテンツ受信者端末６等に通知する。
【００１７】
尚、各中継装置３〜５は、コンテンツに検出用データが付帯されていないと判別すれば、当該コンテンツの不正配信を検出することで良い。この場合、不正配信を検出した中継装置３〜５からの通知を受けた通信事業者端末１もしくはコンテンツ配信者端末２において、当該コンテンツのヘッダ解析をして、当該コンテンツの配信が正規配信者（コンテンツ配信者端末２）からのものか、配信先（コンテンツ受信者端末６）からユーザ端末８宛に不正に再配信されたものかを判定する。例えば、コンテンツ配信者端末２が埋込み処理部２ａで検出用データを付帯させたコンテンツの配信先であるコンテンツ受信者端末６でコンテンツ通信処理部６ａにより、このコンテンツから検出用データを除去して再生した後に、当該コンテンツをユーザ端末８宛に不正に再配信するのを検出することができる。
【００１８】
あるいは、各中継装置３〜５は、コンテンツに検出用データが付帯されていると判別すれば、当該コンテンツの不正配信として検出することでも良い。この場合にも、不正配信を検出した中継装置３〜５からの通知を受けた通信事業者端末１もしくはコンテンツ配信者端末２において、当該コンテンツのヘッダ解析をして、当該コンテンツの配信が正規配信者（コンテンツ配信者端末２）からのものか、配信先（コンテンツ受信者端末６）からユーザ端末８宛に不正に再配信されたものかを判定する。
【００１９】
この検出用データとしては、配信対象のコンテンツに付与する誤り訂正符号（ＣＲＣ）を用いることでも、配信対象のコンテンツの改竄防止用に生成されるハッシュ関数計算値や、コンテンツの賞味期限を特定する日付情報などを用いて、このハッシュ関数計算値や日付情報を当該コンテンツの特定ビット毎に付帯させることでも良い。
【００２０】
例えば、コンテンツを時分割転送もしくは区間分割転送する場合には、コンテンツ配信者端末２は、コンテンツの賞味期限を特定する日付情報からなる検出用データを分割単位毎に付帯させたコンテンツをインターネット上に配信し、各中継装置３〜５は、分割単位毎に検出用データの付帯を判別する。
【００２１】
すなわち、コンテンツ配信者端末２において埋込み処理部２により、検出用データとして日付を特定するビット列を、「コンテンツ（特定ビット数）＋検出用データ（特定ビット数）」のように、コンテンツ中に特定ビット毎に含ませることで、コンテンツに賞味期限を設定し、各中継装置３〜５において、発見処理部３ａ〜５ａにより、賞味期限切れのコンテンツを不正配信対象として検出する。
【００２２】
この場合、検出用データとして、短いビット列を用いることができる。そして、このように、検出用データとして短いビット列を用いる場合には、検出用データはコンテンツにおいて若干のノイズとして残るだけであり、コンテンツ配信者端末２からのコンテンツを正式に受信したコンテンツ受信者端末６では、図示していないコンテンツ再生処理部により、受信したコンテンツを、検出用データを除去することなく再生するものとし、中継装置３は、コンテンツ配信者端末２から、検出用データが付帯されたままの当該コンテンツがユーザ端末８に送信されたことを検出して、不正配信を判定する。
【００２３】
これに対して、検出用データとして、複雑で長いビット列を用いる場合には、検出用データをコンテンツ中にランダムに埋め込んで付帯させ、コンテンツ配信者端末２からのコンテンツを正式に受信したコンテンツ受信者端末６では、図示していないコンテンツ再生処理部により、受信したコンテンツから検出用データを除去して再生するものとし、中継装置３は、コンテンツ配信者端末２から、検出用データが除去された（検出用データが付帯されていない）当該コンテンツがユーザ端末８に送信されたことを検出して、不正配信を判定する。
【００２４】
例えば、コンテンツ配信者端末２において、埋込み処理部２ａにより、「１０００００１０００１０１１１１００００１００１００００１００１１１０」といった長めのビット列からなる検出用データを、コンテンツ中に、ランダムに埋め込んで付帯させ、「１１１０１１００１００１００１００１０１０００００１０００１０１１１１００００１００１００００１００１１１０１１１１００００１１１１０１００」となるコンテンツをインターネット７に配信したとすると、中継装置３〜５は、インターネット７に流れているビット列を読み込み、「１０００００１０００１０１１１１００００１００１００００１００１１１０」の部分を探索し、もし、「１０００００１０００１０１１１１００００１００１００００１００１１１０」ではなく例えば「１０００００１０００１０１１１１００００１００１００００１００１１１１」として最後のビットが「０」ではなく「１」となっていれば、当該コンテンツには不正検出用データが付帯されていないものとして、その不正配信を検出する。
【００２５】
検出用データと同じパターンのビット列が正式なコンテンツに含まれている場合、このパターンのビット列を除去すると、コンテンツが正しく再生されないが、長いビット列を検出用データとして用いることにより、同じパターンのビット列が正式なコンテンツに含まれる確率は極めて低くなるので、当該パターンのビット列を除去することができる。
【００２６】
尚、このような中継装置３〜５における、検出用データに基づくコンテンツの不正配信の検出動作は、コンテンツの正規配信者からの指示に基づきコンテンツ配信者端末２から、Ｗｅｂページまたはコマンドラインあるいは専用アプリケーションなどの設定ツール類を用いて、随時、中継装置３〜５に指示することにより、有効もしくは無効の設定を変更することや、他の付加サービスの設定を行うことができる。
【００２７】
また、例えば中継装置３が発見処理部３ａにおいて、コンテンツ受信者端末６からユーザ端末８宛の不正配信を検出して、その検出結果を通信事業者端末１もしくはコンテンツ配信者端末２に対して通知すれば、通信事業者端末１は透かし情報生成処理部１ａにより、あるいは、コンテンツ配信者端末２は埋込み処理部２ａにより、中継装置３に対して当該コンテンツの配信を停止させるよう通知する。この通知に基づき、中継装置３は発見処理部３ａにより、当該コンテンツのユーザ端末８への配信を停止する。
【００２８】
尚、本例で配信されるコンテンツとしては、テキストデータ、静止画、動画、音声のいずれかを含む。
【００２９】
以下、図１における（ａ）〜（ｇ）で示されるステップに基づき、本例のデータ不正配信監視サービスシステムの動作を説明する。
【００３０】
まず、通信事業者端末１において、コンテンツに影響を与えない範囲で例えば一定間隔ビット毎に任意の特定のビットをコンテンツに配置またはデータグラム中の特定位置に配置し、その付加または除去が通信事業者端末１またはコンテンツ配信者端末２またはコンテンツ受信者端末６の持つ専用アプリケーションにより可能で、中継装置３〜５によりその発見が可能な特定の複雑なビット配列（検出用データ）を作成し、コンテンツ配信者端末２を収容する中継装置３からコンテンツ受信者端末６を収容する中継装置５までの間に位置する、中継装置４等のインターネット７の特定位置に通知して供給し（ステップ（ａ））、かつコンテンツ配信者端末２にも契約により供給する（ステップ（ｂ））。
【００３１】
そして、コンテンツ配信者端末２では、コンテンツ受信者端末６に配信するコンテンツの中に特定の複雑なビット配列（検出用データ）を埋め込み、コンテンツ受信者端末６に配信し、中継装置５は、コンテンツ受信者端末６からインターネット７上の他のユーザ端末８宛に配信されるコンテンツの中に、通信事業者端末１から通知・供給された特定の複雑なビット配列（検出用データ）を含むまたは含まない、あるいは異なる検出用データを発見すると（ステップ（ｃ））、配信者（コンテンツ受信者端末６）に対して不正コンテンツ配信の警告（ステップ（ｄ））または禁止（ステップ（ｅ））、あるいは、通信事業者端末１への通知（ステップ（ｆ））、コンテンツ配信者端末２への通知（ステップ（ｇ））を行う。
【００３２】
以上の図１で示したシステムでは、通信事業者端末１において検出用データを生成して、中継装置３〜５およびコンテンツ配信者端末６に通知・供給する構成としているが、次の図２に示すように、検出用データをコンテンツ配信者端末６において生成して、コンテンツ配信者端末６から通信事業者端末１に通知し、通信事業者端末１から各中継装置３〜５に当該検出用データを通知・供給する構成とすることでも良い。
【００３３】
図２は、本発明に係わるデータ不正配信監視サービスシステムの第２の構成例を示すブロック図である。
【００３４】
図２において、２１は通信事業者が用いる通信事業者端末、２２はコンテンツ配信者が用いるコンテンツ配信者端末、２３〜２５はルータ等の中継装置、２６は一般ユーザが操作するコンテンツ受信者端末、２７はインターネット、２８は一般ユーザが操作するユーザ端末である。
【００３５】
図２における通信事業者端末２１、コンテンツ配信者端末２２、中継装置２３〜２５、コンテンツ受信者端末２６、ユーザ端末２８のそれぞれも図１における通信事業者端末１、コンテンツ配信者端末２、中継装置３〜５、コンテンツ受信者端末６、ユーザ端末８のそれぞれと同様に、ＣＰＵや主メモリ、表示装置、入力装置、外部記憶装置からなるコンピュータ構成からなり、コンテンツ配信者端末２２には透かし情報生成処理部２２ａと埋込み処理部２２ｂが、中継装置２３〜２５には発見処理部２３ａ〜２５ａが、コンテンツ受信者端末２６とユーザ端末２８のそれぞれにはコンテンツ通信処理部２６ａ，２８ａが設けられ、各処理部は、記憶装置に記憶されたプログラムに基づき、本発明に係わる処理動作を行う。
【００３６】
そして、このような構成により、図２のデータ不正配信監視サービスシステムにおいても、インターネット２７上で送受信されるテキストデータや静止画、動画等のコンテンツ（ディジタルデータ）の不正配信の効率的な監視サービスを提供する。
【００３７】
しかし、本例では、正規に契約されたコンテンツ配信者側のコンテンツ配信者端末２２において、透かし情報生成処理部２２ａにより、検出用データを生成して通信事業者端末２１に通知して供給し、埋込み処理部２２ｂにより、生成した検出用データを配信対象のコンテンツ（ディジタルデータ）に付帯し、通信事業者端末２１は、コンテンツ配信者端末２２から通知・供給された検出用データを各中継装置３〜５に対して通知する。
【００３８】
このような構成のシステムにおいても、図１の例と同様に、各中継装置２３〜２５は、発見処理部２３ａ〜２５ａにより、通信事業者端末２１から通知された検出用データを図示していない記憶装置に記憶し、インターネット２７上で受信した例えばコンテンツ配信者端末２６からユーザ端末２８宛のコンテンツに当該検出用データが付帯されているか否かを判別し、この判別結果に基づき当該コンテンツの不正配信を検出し、不正配信の検出結果を予め定められた相手先装置としての通信事業者端末２１やコンテンツ配信者端末２２、コンテンツ受信者端末２６等に通知すると共に、上述の段落「００１７」〜「００２８」のそれぞれに記載の動作等を行う。
【００３９】
以下、図２における（ａ）〜（ｇ）で示されるステップに基づき、本例のデータ不正配信監視サービスシステムの動作を説明する。
【００４０】
まず、コンテンツ配信者端末２２において、コンテンツに影響を与えない範囲で例えば一定間隔ビット毎に任意の特定のビットをコンテンツに配置またはデータグラム中の特定位置に配置し、その付加または除去が通信事業者端末２１またはコンテンツ配信者端末２２またはコンテンツ受信者端末２６の持つ専用アプリケーションにより可能で、中継装置２３〜２５によりその発見が可能な特定の複雑なビット配列（検出用データ）を作成し、通信事業者端末２１に通知して供給し（ステップ（ａ））、通信事業者端末２１は、コンテンツ配信者端末２２を収容する中継装置２３からコンテンツ受信者端末２６を収容する中継装置２５までの間に位置する、中継装置２４等のインターネット２７の特定位置に通知して供給する（ステップ（ｂ））。
【００４１】
そして、コンテンツ配信者端末２２では、コンテンツ受信者端末２６に配信するコンテンツの中に特定の複雑なビット配列（検出用データ）を埋め込み、コンテンツ受信者端末２６に配信し、中継装置２５は、コンテンツ受信者端末２６からインターネット２７上の他のユーザ端末２８宛に配信されるコンテンツの中に、通信事業者端末２１から通知・供給された特定の複雑なビット配列（検出用データ）を含むまたは含まない、あるいは異なる検出用データを発見すると（ステップ（ｃ））、配信者（コンテンツ受信者端末２６）に対して不正コンテンツ配信の警告（ステップ（ｄ））または禁止（ステップ（ｅ））、あるいは、通信事業者端末２１への通知（ステップ（ｆ））、コンテンツ配信者端末２２への通知（ステップ（ｇ））を行う。
【００４２】
以上の図１および図２で示したシステムでは、各中継装置３〜５において、コンテンツの不正配信の検出・通知を行う構成としているが、次の図３に示すように、コンテンツ不正配信検出用の専用端末を設けた構成とすることでも良い。
【００４３】
図３は、本発明に係わるデータ不正配信監視サービスシステムの第３の構成例を示すブロック図である。
【００４４】
図３において、３１は通信事業者が用いる通信事業者端末、３２はコンテンツ配信者が用いるコンテンツ配信者端末、３３〜３５はルータ等の中継装置、３６は一般ユーザが操作するコンテンツ受信者端末、３７はインターネット、３８は一般ユーザが操作するユーザ端末、３９は本例の特徴となるコンテンツ不正配信検出用の専用端末である。
【００４５】
図３における通信事業者端末３１、コンテンツ配信者端末３２、中継装置３３〜３５、コンテンツ受信者端末３６、ユーザ端末３８、専用端末３９のそれぞれも図１および図２における通信事業者端末１，２１、コンテンツ配信者端末２，２２、中継装置３〜５，２３〜２５、コンテンツ受信者端末６，２６、ユーザ端末８，２８のそれぞれと同様に、ＣＰＵや主メモリ、表示装置、入力装置、外部記憶装置からなるコンピュータ構成からなり、通信事業者端末３１には透かし情報生成処理部３１ａが、コンテンツ配信者端末３２には埋込み処理部３２ａが、コンテンツ受信者端末３６とユーザ端末３８のそれぞれにはコンテンツ通信処理部３６ａ，３８ａが、専用端末３９には発見処理部３９ａが設けられ、各処理部は、記憶装置に記憶されたプログラムに基づき、本発明に係わる処理動作を行う。
【００４６】
そして、このような構成により、図３のデータ不正配信監視サービスシステムにおいても、インターネット３７上で送受信されるテキストデータや静止画、動画等のコンテンツ（ディジタルデータ）の不正配信の効率的な監視サービスを提供する。
【００４７】
しかし、本例では、ネットワーク事業者側で検出用データを生成して、通信事業者端末３１から専用端末３９に通知し、この専用端末３９において、通知された検出用データに基づきコンテンツの不正配信を検出する。
【００４８】
すなわち、通信事業者端末３１は透かし情報生成処理部３１ａにより、コンテンツの正規配信者とネットワーク事業者との間で契約に基づき授受された特定のビット列からなる検出用データを生成し、専用端末３９に対して通知し、専用端末３９は、発見処理部３９ａにより、通信事業者端末３１から通知された検出用データを図示していない記憶装置に記憶し、例えば中継装置３５で送受信されるコンテンツをキャプチャし、コンテンツ配信者端末３６からユーザ端末３８宛のコンテンツに当該検出用データが付帯されているか否かを判別し、この判別結果に基づき当該コンテンツの不正配信を検出し、不正配信の検出結果を予め定められた相手先装置としての通信事業者端末３１やコンテンツ配信者端末３２、コンテンツ受信者端末３６等に通知する。尚、本例のシステムにおいても、図２の例と同様、図１に関して上述した段落「００１７」〜「００２８」のそれぞれに記載の動作等を行う。
【００４９】
以下、図３における（ａ）〜（ｇ）で示されるステップに基づき、本例のデータ不正配信監視サービスシステムの動作を説明する。
【００５０】
通信事業者はインターネット３７に通信事業者の専用端末３９を設置して、通信事業者端末３１で作成した検出用データ（コンテンツに影響を与えない範囲でコンテンツの一定間隔ビット毎に任意の特定のビットを配置またはデータグラム中の特定位置に配置し、その付加または除去が専用アプリケーションまたは専用端末３９または中継装置３３〜３５により可能な、特定の複雑なビット配列）を専用端末３９に通知して供給し記憶させ（ステップ（ａ））、また、当該検出用データをコンテンツ配信者端末３２に供給する（ステップ（ｂ））。
【００５１】
コンテンツ配信者端末３２では、埋込み処理部３２ａにより、通信事業者端末３１から供給された検出用データをコンテンツに付帯させてインターネット３７を介して要求元のコンテンツ受信者端末３６等に配信する。
【００５２】
専用端末３９では、発見処理部３９ａにより、例えばコンテンツ受信者端末３６からインターネット３７上の他のユーザ端末３８に配信されるコンテンツ（ディジタルデータ）をキャプチャし、その中に、通信事業者端末３１から通知され記憶した検出用データ（特定の複雑なビット配列）を含むまたは含まないまたは異なっているコンテンツを発見すると（ステップ（ｃ））、コンテンツ受信者端末３６に対して不正コンテンツ配信の警告（ステップ（ｄ））または通信事業者端末３１を介しての中継装置３５でのコンテンツ配信の禁止（ステップ（ｅ））、あるいは、通信事業者端末３１への通知（ステップ（ｆ））、コンテンツ配信者端末３２への通知（ステップ（ｇ））を行う。
【００５３】
以上、図１から図３を用いて説明したように、本例のデータ不正配信監視サービスシステムでは、中継装置３〜５，２３〜２５または通信事業者の専用端末３において、通信事業者から通知され記憶した検出用データ（特定の複雑なビット配列）が、インターネット７，２７，３７上で配信されるコンテンツの中に含まれていること、あるいは含まれていないことを発見することにより、コンテンツ配信者端末２，２２，３２、コンテンツ受信者端末６，２６，３６、あるいはコンテンツ配信者端末２，２２，３２以外のコンテンツ配信者からのコンテンツの不正な配信を発見、警告または禁止することができる。このことにより、本例では、配信されたコンテンツが不正なものであることの発見には、コンテンツ配信機能を持つセンタとのアクティブな通信は不要となる。
【００５４】
尚、本発明は、図１〜図３を用いて説明した例に限定されるものではなく、その要旨を逸脱しない範囲において種々変更可能である。例えば、図３の例では、専用端末３９に対して、通信事業者端末３１で作成した検出用データを通知し記憶させているが、図２の例のように、検出用データをコンテンツ配信者端末３２で生成する構成としても良い。
【００５５】
また、本例では通信網（ネットワーク）としてインターネットを例に説明したが、ＳＴＭ網、ＡＴＭ網などのネットワークでのディジタルデータの不正配信監視にも適用可能である。例えば、ＳＯＮＥＴ（Ｓｙｎｃｈｒｏｎｏｕｓ  Ｏｐｔｉｃａｌ  ＮＥＴｗｏｒｋ）やＳＤＨ（Ｓｙｎｃｈｒｏｎｏｕｓ  Ｄｉｇｉｔａｌ  Ｈｉｅｒａｒｃｈｙ）等のＳＴＭにおいては、フレーム位置から回線ＩＤを検索して、当該コンテンツ（ディジタルデータ）の配信が正規配信者からのものか否かを判断することができる。
【００５６】
また、本例では、コンテンツ配信者端末２，２２，３２においてコンテンツに対する不正用データの付帯処理を行っているが、例えば、中継装置３，２３，３３においてコンテンツ配信者端末２，２２，３２で生成してインターネット７，２７，３７に配信されたコンテンツに対する不正用データの付帯処理を行い、中継装置５，２５，３５において、当該コンテンツに対する不正用データの付帯有無に基づく不正配信を検出する構成とすることも可能である。
【００５７】
また、中継装置３，２３，３３においてコンテンツ配信者端末２，２２，３２で生成してインターネット７，２７，３７に配信されたコンテンツに対する不正用データの付帯処理を行い、中継装置４，２４，３４において、当該コンテンツに付帯された不正用データの除去を行う構成とし、中継装置５，２５，３５において、中継対象のコンテンツに不正用データが付帯されている場合に、当該コンテンツに関しての不正配信を検出することも可能である。これにより、ネットワークの閉じられたエリアで流通が許されているコンテンツのエリア外での不正使用を発見することができる。
【００５８】
また、コンピュータ構成としても、キーボードや光ディスクの駆動装置の無いコンピュータ構成としても良い。また、本例では、光ディスクを記録媒体として用いているが、ＦＤ（Ｆｌｅｘｉｂｌｅ  Ｄｉｓｋ）等を記録媒体として用いることでも良い。また、プログラムのインストールに関しても、通信装置を介してネットワーク経由でプログラムをダウンロードしてインストールすることでも良い。
【００５９】
【発明の効果】
本発明によれば、従来技術のように、不正利用の監視対象がデジタルコンテンツ提供者が自身で提供したデジタルコンテンツに限定されてしまうことも、配信されたコンテンツが不正なものであることの発見に、ネットワークを介しての情報管理センタとのアクティブな通信を行う必要もなく、コンテンツの不正配信の発見を、効率的にかつ低コスト、短時間で行うことが可能である。
【図面の簡単な説明】
【図１】本発明に係わるデータ不正配信監視サービスシステムの第１の構成例を示すブロック図である。
【図２】本発明に係わるデータ不正配信監視サービスシステムの第２の構成例を示すブロック図である。
【図３】本発明に係わるデータ不正配信監視サービスシステムの第３の構成例を示すブロック図である。
【符号の説明】
１，２１，３１：通信事業者端末、２，２２，３２：コンテンツ配信者端末、３〜５，２３〜２５，３３〜３５：中継装置、６，２６，３６：コンテンツ受信者端末、７，２７，３７：インターネット、８，２８，３８：ユーザ端末、３９：専用端末、１ａ，２２ａ，３１ａ：透かし情報生成処理部、２ａ，２２ｂ，３２ａ：埋込み処理部、６ａ，８ａ，２６ａ，２８ａ，３６ａ，３８ａ：コンテンツ通信処理部、３ａ〜５ａ，２３ａ〜２５ａ，３９ａ：発見処理部。
【図１】
2004348224.tif 000003
【図２】
2004348224.tif 000004
【図３】
2004348224.tif 000005